(57)【特許請求の範囲】
【請求項１】
少なくとも長手方向に延びる面板部（１２）と、この面板部（１２）の両側縁部で下方に折曲し、さらに前記面板部（１２）に平行になるように折曲させた押さえ固定部  （１３Ａ，１３Ａ）と、該押さえ固定部  （１３Ａ，１３Ａ）の端面から下方に折曲しさらに内側に折り返される係止部  （１４Ａ，１４Ａ）をそれぞれ形成した面板単体部材  （１１Ａ）と、
長手方向に延びる連接表面部  （２２Ａ）と、該連接表面部  （２２Ａ）の両側縁部で斜め下方へ折曲され、前記連接表面部  （２２Ａ）に平行になるよう外側に折曲された前記押さえ固定部  （１３Ａ，１３Ａ）に圧接される面板支持部  （２５，２５）と、該面板支持部  （２５，２５）の端部から斜め内側に下方に折曲し、そして斜め外側下方に折曲させた後に、前記連接表面部  （２２Ａ）にほぼ平行になるよう内側に折曲し、さらにほぼ直角下方に折り返されて接合部材係止部  （６２，６２）に外側から接合される接合部  （２４Ａ，２４Ａ）をそれぞれ形成した接合部材  （２１Ａ）と、
接合基板部  （３２Ａ）の両側部に立ち上げた接合立ち上がり部  （６１，６１）と、該接合立ち上がり部  （６１，６１）の上端で底部が前記接合基板部  （３２Ａ）と平行とされる面を有し、前記接合部材  （２１Ａ）を係止する接合部材係止部  （６２，６２）と、さらに該接合部材係止部  （６２，６２）から斜め内側に折曲されて、前記接合基板部（３２Ａ）に平行になるように内側に折曲された前記連接表面部  （２２Ａ）を裏面側から受支する接合部材支持部  （６３，６３）と、前記接合基板部  （３２Ａ）上の接合立ち上がり部  （６１，６１）より外側で立ち上げた係止立ち上がり部  （３３Ａ，３３Ａ）と、該係止立ち上がり部  （３３Ａ，３３Ａ）の上端で内側および外側に折曲されて、前記面板部（１２）を裏面側から受支する面板支持部  （３４，３４）と、該面板支持部  （３４，３４）の内側折曲部の端部から斜め下方に折曲させた面板係止部  （３８，３８）と、さらに該面板係止部  （３８，３８）の外側折曲部の端部で下方に垂下させた垂下部（３５，３５）  と、下地材（５２）に取り付け固定される基板取り付け部  （３６，３６）をそれぞれ形成した吊子部材  （３１Ａ）  と、
少なくとも長手方向に延び、前記接合立ち上がり部  （６１，６１）によって下地材（５２）側に押止保持される敷込み部（４２）と、前記係止立ち上がり部  （６１，６１）と垂下部  （３５，３５）  間の下向き空間部  （４０，４０）  内で前記敷込み部（４２）の両側部から立ち上げて、前記面板支持部  （３４，３４）裏側に当接される折り返し部  （４４，  ４４）  を備えた側壁部  （４３，４３）  をそれぞれ形成した水受け樋部材  （４１Ａ）  と、を備えてなることを特徴とする建築物における面構造体。
【請求項２】
接合部材  （２１Ａ）を取り付けた吊子部材  （３１Ａ）  を下地材（５２）に止着し、その後に面板単体部材  （１１Ａ）を係止してなることを特徴とする請求項１記載の建築物における面構造体。
【請求項３】
面板単体部材  （１１Ａ）での面板部  （１２）  の裏面に、必要に応じて、押さえ固定部  （１３Ａ，１３Ａ）を含めて、耐候性、断熱性、吸音性、耐衝撃性、補強性、難燃性などの諸特性をもつ裏張り材  （１６）  を貼付させてなることを特徴とする請求項１または２記載の建築物における面構造体。
【請求項４】
面板単体部材  （１１Ａ）が、少なくとも長手方向に湾曲させた曲面構成とされることを特徴とする請求項１ないし３のいずれかに記載の建築物における面構造体。
【発明の詳細な説明】
【０００１】
【発明の属する技術分野】
本発明は、建築物における面構造体に係り、さらに詳しくは、建築物での屋根面や内外壁面などを構成する面板単体部材で、特に少なくとも接合面が直線状をなす複数の面板単体部材を用い、これらの各面板単体部材の隣接する相互を接合部材を介するとともに、所定の係止部構造によって下地側に引き留め係止して構成する面構造体に関する。
【０００２】
【従来の技術】
一般に、この種の建築物における屋根や内外壁面などの面構造体を構成するのに用いられる面板単体部材、および面板単体部材相互の接合構造に関しては、従来から数多くの提案がなされている。これらの提案を縦葺き形式による屋根構造のみに限定しても、▲１▼面板単体部材に対応されるところの屋根板部材自体、ならびに、▲２▼隣接して葺き上げられる屋根板部材相互の接合ないし結合仕様および構造形態、あるいは機能面、外観仕様などでの考案についての開発、提案がさかんに行われ、さらに、▲３▼その付帯構造について屋根下地面への取り付けのための同様な結合仕様あるいは構造形態などのさまざまな提案がなされ、これらのものは個々の提案ごとにそれぞれ特有の作用、効果を達成し得るものとされている。
【０００３】
このような建築物における面構造体の従来例として、たとえば特開平２−２６６０５３号公報に開示されているようなものがある。
その内容は、図７，８に示すように、少なくとも長手方向に延びる面板部１２、この面板部１２の両側接合部で斜め外側下方へ折曲される押さえ固定部１３、各押さえ固定部１３の端部で内側へ折り返される係止部１４をそれぞれに形成した面板単体部材（縦葺き屋根板部材）１１と、長手方向に延びる連接表面部２２、この連接表面部２２の両側接合部で斜め内側下方へ折曲されて、前記押さえ固定部１３に圧接される押圧部２３、各押圧部２３の端部で外側へ折り返されて、前記係止部１４に外側から接合される接合部２４をそれぞれに形成した接合部材２１と、接合基板部３２の両側部に立ち上げた係止立ち上がり部３３、各係止立ち上がり部３３の上端部で外側へ折曲されて、前記面板部１２を裏面側から受支する面板支持部３４、各面板支持部３４の端部で下方に垂下されて、下地側に取り付け固定される基板取り付け部３６、各係止立ち上がり部３３相互の内側上向き空間部３７内で斜め下向きに対向突出されて、前記係止部１４に内側から係止される係止縁３９を備えた面板係止部３８をそれぞれに形成した吊子部材３１と、少なくとも長手方向に伸び、前記各係止立ち上がり部３３によって下地側に押止保持される敷込み部４２、前記各係止立ち上がり部３３相互の外側下向き空間部４０内で敷込み部４２の両側部から立ち上げて、前記各面板支持部３４の裏面側に当接される側壁部４３をそれぞれ形成した水受け樋部材４１とを備えて構成したことを特徴とする建築物における面構造体である。
【０００４】
なお、面板単体部材１１での面板部１２の裏面には、必要に応じ押さえ固定部１３の一部を含めて、少なくとも耐候性、熱絶縁性、吸音性、緩衝性などの諸特性をもつ裏張り材１６を貼付させるのがよく、また、吊子部材３１の外側にあって、下地側面と面板単体部材１１の裏面との間に下地材５２を介装させることができる。
このように、吊子部材３１によって、水受け樋部材４１の取り付け固定と、面板単体部材１１ならびに接合部材２１の相互接合係着との二様の作用に兼用させるようにしているので、これらの水受け樋部材４１と面板単体部材１１、接合部材２１とのそれぞれを相互にまったく関係ない状態で、これらをそれぞれの目的のもとに単独して作用させることとなる。
【０００５】
そして、施工時には、母屋材５１上に、まず下地材５２とアスファルトルーフィング５３を敷き、さらにアスファルトルーフィング５３上に所定の間隔ごとに各水受け樋部材４１を敷き込むように各吊子部材３１をそれぞれ取り付け止着具５４によって母屋材５１に止着し、その後各吊子部材３１間に下地材５２を埋めるように敷き込み、面板単体部材１１を吊子部材３１の面板係止部３８に係止し、その後上向き空間部３７を塞ぐように接合部材２１を接合させることによって、所期通りの縦葺き屋根を葺き上げ得るのである。
【０００６】
【発明が解決しようとする課題】
しかしながら、上記のように構成される特開平２−２６６０５３号公報の縦葺き屋根構造の場合には、接合内部に敷き込まれる長手方向に一連とされる水受け樋部材４１は、接合部２４から侵入する雨水を外部に排出する雨樋になるもので、このようにして所期通りの縦葺き屋根を構成し得るが、その反面、葺き上げに際して、その構成中で吊子部材３１の面板係止部３８にまず面板単体部材１１を係止し、その後に接合部材２１を接合する必要があるから、以下のような不利を免れ難いものであった。
【０００７】
すなわち、接合部材２１を接合する際には、すでに面板単体部材１１が吊子部材３１に係止されており、接合部材２１を接合させる際には施工者が面板単体部材１１上に乗るかあるいは足を載せて作業する必要があり、その際に面板単体部材１１の表面に傷をつける恐れが大きい。面板単体部材１１表面の傷は、美観を損ねるばかりではなく、面板単体部材１１に塗装薄鋼板を使用する場合はその塗装膜に傷をつけることになるから、長年の使用期間において塗装膜の傷部から発錆する恐れが大きい。
【０００８】
そこで、面板単体部材１１表面に傷をつけないようにするために、施工時には面板単体部材１１上にビニールシートなどの敷物あるいは被覆を施すことが考えられるが、施工費用が高くつくとか、施工効率を低下させる等の不具合が発生するので実質的に困難である。さらに、面板単体部材１１上に荷重をかけることにより面板単体部材１１の変形が起こり、屋根面全体に波打ち現象とか接合各部からの水漏れなどを生ずる恐れがある。
【０００９】
本発明は、上記のような従来技術の有する課題を解決して、施工時に発生する面板単体部材表面上の傷が発生することのない、さらに雨漏れなどを生ずることのないように、良好かつ効果的に、しかも作業性よく接合し得るようにした建築物における面構造体を提供することを目的とする。
【００１０】
【課題を解決するための手段】
本発明は、少なくとも長手方向に延びる面板部（１２）と、この面板部（１２）の両側縁部で下方に折曲し、さらに前記面板部（１２）に平行になるように折曲させた押さえ固定部  （１３Ａ，１３Ａ）と、該押さえ固定部  （１３Ａ，１３Ａ）の端面から下方に折曲しさらに内側に折り返される係止部  （１４Ａ，１４Ａ）をそれぞれ形成した面板単体部材  （１１Ａ）と、長手方向に延びる連接表面部  （２２Ａ）と、該連接表面部  （２２Ａ）の両側縁部で斜め下方へ折曲され、前記連接表面部  （２２Ａ）に平行になるよう外側に折曲された前記押さえ固定部  （１３Ａ，１３Ａ）に圧接される面板支持部  （２５，２５）と、該面板支持部  （２５，２５）の端部から斜め内側に下方に折曲し、そして斜め外側下方に折曲させた後に、前記連接表面部  （２２Ａ）にほぼ平行になるよう内側に折曲し、さらにほぼ直角下方に折り返されて接合部材係止部  （６２，６２）に外側から接合される接合部  （２４Ａ，２４Ａ）をそれぞれ形成した接合部材（２１Ａ）と、接合基板部  （３２Ａ）の両側部に立ち上げた接合立ち上がり部  （６１，６１）と、該接合立ち上がり部  （６１，６１）の上端で底部が前記接合基板部  （３２Ａ）と平行とされる面を有し、前記接合部材  （２１Ａ）を係止する接合部材係止部  （６２，６２）と、さらに該接合部材係止部  （６２，６２）から斜め内側に折曲されて、前記接合基板部  （３２Ａ）に平行になるように内側に折曲された前記連接表面部  （２２Ａ）を裏面側から受支する接合部材支持部  （６３，６３）と、前記接合基板部  （３２Ａ）上の接合立ち上がり部  （６１，６１）より外側で立ち上げた係止立ち上がり部  （３３Ａ，３３Ａ）と、該係止立ち上がり部  （３３Ａ，３３Ａ）の上端で内側および外側に折曲されて、前記面板部（１２）を裏面側から受支する面板支持部  （３４，３４）と、該面板支持部  （３４，３４）の内側折曲部の端部から斜め下方に折曲させた面板係止部  （３８，３８）と、さらに該面板係止部  （３８，３８）の外側折曲部の端部で下方に垂下させた垂下部  （３５，３５）  と、下地材（５２）に取り付け固定される基板取り付け部  （３６，３６）をそれぞれ形成した吊子部材  （３１Ａ）  と、少なくとも長手方向に延び、前記接合立ち上がり部  （６１，６１）によって下地材（５２）側に押止保持される敷込み部（４２）と、前記係止立ち上がり部  （６１，６１）と垂下部  （３５，３５）  間の下向き空間部  （４０，４０）  内で前記敷込み部（４２）の両側部から立ち上げて、前記面板支持部  （３４，３４）裏側に当接される折り返し部  （４４，  ４４）  を備えた側壁部  （４３，４３）  をそれぞれ形成した水受け樋部材  （４１Ａ）  と、を備えてなることを特徴とする建築物における面構造体である。
【００１１】
なお、接合部材  （２１Ａ）を取り付けた吊子部材  （３１Ａ）  を下地材（５２）に止着し、その後に面板単体部材  （１１Ａ）を係止してもよく、また、面板単体部材  （１１Ａ）での面板部  （１２）  の裏面に、必要に応じて、押さえ固定部  （１３Ａ，１３Ａ）を含めて、耐候性、断熱性、吸音性、耐衝撃性、補強性、難燃性などの諸特性をもつ裏張り材  （１６）  を貼付させてもよく、さらに、面板単体部材  （１１Ａ）に少なくとも長手方向に湾曲させた曲面構成のものを用いてもよい。
【００１２】
【発明の実施の形態】
以下に、本発明の好適な実施の形態について、図１ないし図５を参照して詳しく説明する。図１は本発明の実施態様の要部を示す側断面図であり、図２ないし図５は主要構成部材の個々の部分図である。なお、図中において従来例と同一の部材については同一の符号を付して説明を省略する。
【００１３】
本発明の面構造体は、縦葺き屋根面の主体部を構成する縦葺き屋根板部材である面板単体部材１１Ａと、隣接する面板単体部材１１Ａ，１１Ａ間を接合する接合部材２１Ａと、接合された各面板単体部材１１Ａ，１１Ａおよび接合部材２１Ａを母屋材５１側に係止する吊子部材３１Ａと、吊子部材３１Ａの下部をカバーして雨水を流す水受け樋部材４１Ａとで構成される。
【００１４】
まず、面板単体部材１１Ａについては、所定幅に設定されて長手方向に延びる長尺状の面板部１２を有しており、この面板部１２の両側縁部で下方に折り曲げし、さらに面板部１２に平行になるように内側に折り曲げられた押さえ固定部１３Ａ，  １３Ａをそれぞれに形成させるとともに、これら押さえ固定部１３Ａ，  １３Ａの端面から下方に折り曲げしさらに内側に折り返して係止部１４Ａ，  １４Ａとし、かつこれをさらに折り返した上で縁曲げ部１５Ａ，  １５Ａを形成する。なお、押さえ固定部１３Ａ，  １３Ａの一部を含む面板部１２の裏面側には、十分な耐候性や断熱性、吸音性、耐衝撃性、補強性、難燃性などの諸特性をもつ裏張り材１６が貼付される。
【００１５】
なお、この面板単体部材１１Ａは、特に限定するものではないが、通常、所定幅を有する長尺の強靱な溶融めっき鋼板やステンレスなどの金属薄鋼板類を材料に用いるのが望ましく、これをその長手方向に沿いロール成形するか、あるいは所定長さに裁断したうえで折り曲げ加工（ベンダ加工）等で一連に成形するなどして形成される。
【００１６】
接合部材２１Ａについては、面板単体部材１１Ａと同様に、長手方向に一連とされる長尺状で、後述するように、面板単体部材１１Ａを相互に隣接させた状態で対向される各押さえ固定部１３Ａ，  １３Ａ間の幅とほぼ同じ幅にされた連接表面部２２Ａを有しており、この連接表面部２２Ａの左右両側縁部にあって、この場合も、これらの押さえ固定部１３Ａ，  １３Ａに沿って斜め下方へ折り曲げられ、連接表面部２２Ａに平行になるよう外側に折り曲げられた押さえ固定部１３Ａ，１３Ａに圧接される左右の面板支持部２５，２５を形成するとともに、各面板支持部２５，２５の端部から斜め内側に下方に折り曲げ、そして斜め外側下方に折り曲げられた押圧部２３Ａと、さらに連接表面部２２Ａにほぼ平行になるよう内側に折り曲げられ、さらにほぼ直角下方に折り返されて、後述する吊子部材３１Ａの接合部材係止部６２，  ６２に外側から接合させる接合部２４Ａ，  ２４Ａをそれぞれ形成する。
【００１７】
吊子部材３１Ａについては、接合基板部３２Ａの両側の中央部寄りに立ち上げた接合立ち上がり部６１，  ６１と、これら接合立ち上がり部６１，  ６１の上端で底部が接合基板部３２Ａと平行とされる面を有する前記接合部材２１Ａを係止する接合部材係止部６２，  ６２と、さらにこれら接合部材係止部６２，  ６２から斜め内側に折り曲げられて、前記接合基板部３２Ａに平行になるように内側に折り曲げられた前記接合部材２１Ａの連接表面部２２Ａを裏面側から受支する接合部材支持部６３，  ６３と、接合基板部３２Ａ上の接合立ち上がり部６１，  ６１より外側で上向き空間部６４，  ６４を介して立ち上げられる係止立ち上がり部３３Ａ，  ３３Ａと、各係止立ち上がり部３３Ａ，  ３３Ａの上端で内側および外側に折り曲げられて、前記面板単体部材１１Ａの面板部１２を裏面側から受支する面板支持部３４，  ３４と、これら面板支持部３４，  ３４の内側折り曲げ部の端部から斜め下方に折り曲げられた面板係止部３８，  ３８と、さらに面板支持部３４，  ３４の外側折り曲げ部の端部で下方に下地材５２の厚さ相当分だけそれぞれ垂下された垂下部３５，  ３５と、これら垂下部３５，  ３５の下側端部から外側に折り返されて、下地材５２に取り付け固定される基板取り付け部３６，  ３６をそれぞれ形成する。
【００１８】
なお、この吊子部材３１Ａは、たとえばアルミ押出材により一連に成形して形成し、これを所定の長さに裁断して用いるのが望ましいが、強度等が問題なければ強化プラスチック（ＦＲＰ）とか炭素繊維製品等を用いてもよい。
さらに、水受け樋部材４１Ａについては、その幅は前記係止立ち上がり部３３Ａ，  ３３Ａを超える所定幅に設定されて、少なくとも長手方向に延びる長尺の敷込み部４２を有しており、この敷込み部４２の両側縁部を、前記係止立ち上がり部３３Ａと垂下部３５間の下向き空間部４０内で立ち上げられる側壁部４３と、これら側壁部４３を内側に敷込み部４２に平行な方向に折り曲げて、各面板支持部３４，  ３４の裏側に当接する折り返し部４４，  ４４とをそれぞれに形成したものであり、この水受け樋部材４１Ａは、前記した面板単体部材１１Ａの場合と同様の手段で形成される。
【００１９】
なお、この場合、前記隣接される各面板単体部材１１Ａ，  １１Ａの面板部１２，  １２に対して、図６に示されるように、接合部材２１Ａの連接表面部２２Ａの形状を変化させることによって、外観上、一つの区切り、ないしは変化を与えるようにしてもよい。すなわち、図６（ａ）  は凹状とされる連接表面部２２Ｂを有する接合部材２１Ｂを、また図６（ｂ）  は凸状の連接表面部２２Ｃを有する接合部材２１Ｃをそれぞれ例示している。また、面板単体部材１１Ａに対しても、その面板部１２の長手方向または横手方向に沿い、適宜に段部とか、凸部、あるいは凹部等を形成させて、同様の効果を与え、かつ表面自体の補強などを図ることを妨げるものではない。
【００２０】
つぎに、このように構成される本発明の面構造体を用いて、縦葺き屋根構造を葺き上げる手順について説明する。
すなわち、建築物の母屋材５１の表面上に下地材５２、アスファルトルーフィング５３等を介した状態で、まず、棟側から軒側にかけた上下方向の所定位置で所定間隔ごとに水受け樋部材４１Ａの複数本を配設するとともに、これらの各水受け樋部材４１Ａをその長手方向の適所ごとに跨ぐように吊子部材３１Ａを配設して、個々の吊子部材３１Ａの左右の各基板取り付け部３６，  ３６をたとえばシンワッシャなどの適切な取り付け止着具５４，  ５４によって、それぞれ母屋材５１側にしっかり取り付け固定する。
【００２１】
ここで、このように吊子部材３１Ａによって水受け樋部材４１Ａを取り付け固定した状態では、この水受け樋部材４１Ａに敷込み部４２が吊子部材３１Ａの各接合立ち上がり部６１，  ６１の下端によって、また左右の面板支持部３４，  ３４によってそれぞれ母屋材５１側に強力に押圧保持されるとともに、左右の各折り返し部４４，  ４４以降の各部が各下向き空間部４０，  ４０内に収まり、かつ吊子部材３１Ａの中間の中央部上向き空間部３７および側部上向き空間部６４，  ６４が開放されたままに配設されることになる。
【００２２】
続いて、各吊子部材３１Ａの隣接する相互間には、木毛セメントなどの下地材５２を敷き込んだ後、これらの吊子部材３１Ａの各接合部材係止部６２，  ６２の上方から接合部材２１Ａを嵌め込み、この接合部材２１Ａでの左右の各接合部２４Ａ，  ２４Ａを前記左右に配置された接合部材係止部６２，  ６２に係止させ、同時に前記吊子部材３１Ａの左右に対向される各接合部材支持部６３，  ６３に前記連接表面部２２Ａをきっちりと圧接させる。
【００２３】
そしてさらに、吊子部材３１Ａの各面板支持部３４，  ３４および下地材５２上にあって、対応するそれぞれの面板単体部材１１Ａを載置させ、その裏面側の裏張り材１６を圧接させるとともに、隣接する各面板単体部材１１Ａ，  １１Ａでの左右に対向される各押さえ固定部１３Ａ，１３Ａのそれぞれの各係止部１４Ａ，  １４Ａを接合部分、つまり側部上向き空間部６４，  ６４に露出されている吊子部材３１Ａでの左右の各面板係止部３８，  ３８に対して外側（対向面側）からそれぞれ係止させる。この状態において、接合内部に納め込まれる長手方向に一連とされた水受け樋部材４１Ａは、接合部２４Ａから侵入する雨水を外部に排出する雨樋になるものであり、このようにして、所期通りの縦葺き屋根を葺き上げ得るのである。
【００２４】
したがって、以上のような構成においては、いうなれば、吊子部材３１Ａによって水受け樋部材４１Ａの取り付け固定と、面板単体部材１１Ａならびに接合部材２１Ａの相互接合係止との二様の作用を同時に兼用させるようにしているので、これらの水受け樋部材４１Ａと面板単体部材１１Ａ、接合部材２１Ａとのそれぞれの目的の基に単独して作用させ得ることができ、しかも直接外部に曝されることになる面板単体部材１１Ａおよび接合部材２１Ａの係止はそれぞれ独立して行っているものであり、ビス止めなどによる止着手段を用いる必要がない。つまり、止着該当部に穴明けをなさずに済ませていることとも相まって、吊子部材３１Ａにまず接合部材２１Ａを係止させることにより、面板部１２の表面の傷つき、あるいは荷重付加による面板部１２の変形等の恐れがまったくなく、さらに水受け樋部材４１Ａには十分な流路断面積が確保されて、たとえ一時的に多量の雨水が流れた場合などでも、この雨水が漏れたりするようなことがない。
【００２５】
なお、接合部材  （２１Ａ）を取り付けた吊子部材  （３１Ａ）  を下地材（５２）に止着し、その後に面板単体部材  （１１Ａ）を係止するようにしてもよい。
また、上記の例では、本発明を縦葺き屋根構造に適用する場合について説明したが、その他の、たとえば長手方向に湾曲させることによって曲面構成を有する屋根構造や横葺き形式による屋根構造はもとより、内外の壁面構造などにも適用して、同様な作用効果を得られることはいうまでもない。
【００２６】
【発明の効果】
以上詳述したように、本発明によれば、以下の効果を奏するものである。
▲１▼施工時における面板単体部材の表面の傷つきとか荷重付加による面板部の変形がないこと。
▲２▼接合表面の良好な形態保持ならびに雨漏れ防止を図り得ること。
▲３▼所期の構造体を極めて容易にかつ簡単に作業性よく構成させ得ること。
▲４▼縦葺き屋根構造に限らず湾曲構成の屋根構造にも適用し得ること。
【図面の簡単な説明】
【図１】本発明の実施態様の要部を示す側断面図である。
【図２】本発明に用いられる面板単体部材の正面図である。
【図３】本発明に用いられる接合部材の正面図である。
【図４】本発明に用いられる吊子部材の正面図である。
【図５】本発明に用いられる水受け樋部材の正面図である。
【図６】（ａ）  ，（ｂ）  は本発明に用いられる接合部材の他の例を示す正面図である。
【図７】従来例の要部を示す側断面図である。
【図８】（ａ）  〜（ｄ）  は各構成部材の斜視図である。
【符号の説明】
１１Ａ  面板単体部材（縦葺き屋根板部材）
１２  面板部
１３Ａ    押さえ固定部
１４Ａ    係止部
１５Ａ    縁曲げ部
１６    裏張り材
２１Ａ，２１Ｂ，２１Ｃ    接合部材
２２Ａ，２２Ｂ，２２Ｃ    連接表面部
２３Ａ    押圧部
２４Ａ    接合部
２５    面板支持部
３１Ａ    吊子部材
３２Ａ    接合基板部
３３Ａ    係止立ち上がり部
３４    面板支持部
３５    垂下部
３６    基板取り付け部
３７    上向き空間部
３８    面板係止部
４０  下向き空間部
４１Ａ    水受け樋部材
４２    敷込み部
４３    側壁部
４４  折り返し部
５１    母屋材
５２    下地材
５３  アスファルトルーフィング
５４  取り付け止着具
６１  接合立ち上がり部
６２  接合部材係止部
６３  接合部材支持部
６４  上向き空間部
【図１】
0003557772.tif 000002
【図２】
0003557772.tif 000003
【図３】
0003557772.tif 000004
【図４】
0003557772.tif 000005
【図５】
0003557772.tif 000006
【図６】
0003557772.tif 000007
【図７】
0003557772.tif 000008
【図８】
0003557772.tif 000009